(57)【特許請求の範囲】
【請求項１】
縁材の板面に形成された換気口から続く通気路、および、その側方に該通気路と側壁によって区切られて形成された軒天井板の端縁を嵌入結合させる溝部を備え、
溝部の底、および、通気路内に、耐火性の加熱膨張部材を取付け、火災発生時には加熱膨張させて、溝部に生じた隙間を埋めると共に、通気路を遮断する軒天井換気用縁材。
【発明の詳細な説明】
【０００１】
【発明の属する技術分野】
この発明は、住宅などの軒天井に使用する換気用縁材に関し、特に、火災時に換気口を自動的に閉鎖する防火性に富んだ換気用縁材の改良に係る。
【０００２】
【従来の技術】
住宅の屋根裏換気の為に、軒天井に換気口付きの見切り縁材を取付けると共に、その換気口を火災発生時に自動的に閉鎖するようにする技術は、本発明者によって既に提案（特願２０００−３３７５７５号）されている。その構造は、換気口から続く通気路に、加熱膨張部材を取付けておき、平時は開口状態で換気を許し、火災発生時には、その熱によって加熱膨張部材を膨らませて、通気路を遮断し、火炎が屋根裏に侵入するのを防止するのである。
【０００３】
【発明が解決しようとする課題】
ところが、防火対策としては、前記の換気口を閉じるだけでは充分ではない。なぜなら、軒天井板と縁材との結合は、縁材に形成された溝部に、軒天井板の端縁を嵌め込んだ構造であるが、火災時に熱を受けると、各部材の膨張や変形によって、結合部に緩みができて、場合によっては溝と軒天井板端縁との間に数ｍｍもの隙間が発生する。そして、このような隙間ができると、ここから熱気が天井裏へと伝わって、延焼を助長することになる。
【０００４】
本発明は、このような点に鑑み、火災発生時に軒天井板と縁材との結合部に隙間が発生しないようにして、火災時の熱気が軒天井裏に伝わるのを防止した軒天井換気用縁材を提供するにある。
【０００５】
【課題を解決するための手段】
本発明の軒天井換気用縁材の技術的手段は、縁材の板面に形成された換気口から続く通気路、および、その側方に該通気路と側壁によって区切られて形成された軒天井板の端縁を嵌入結合させる溝部を備え、溝部の底、および、通気路内に、耐火性の加熱膨張部材を取付け、火災発生時には加熱膨張させて、溝部に生じた隙間を埋めると共に、通気路を遮断することにある。
【０００７】
【発明の実施の形態】
本発明の縁材の実施の形態を、図面の実施例に基づいて説明する。図１に、軒天井換気用見切り縁材に用いた例の断面図が示されている。見切り縁材１の材質は、ステンレス鋼板などの金属材製である。見切り縁材１には、換気口２が設けられていて、この換気口２は、図２に示されるように多数の細長い孔３で構成されている。また、この孔３は、両側縁に切込みを入れた押込み加工で形成されていて、火炎が一気に天井裏に吹き込まないように配慮されている。
【０００８】
４は目隠しと水返しとを兼ねた遮蔽板で、換気口２の後背位置に、適当な通気間隔を開けて設けられている。この遮蔽板４は片持状態で縁材本体に固定されていて、先端側には通気の為の間隙５ができるように配されている。また、遮蔽板４の先端部には、加熱膨張部材６が全長に互って取付けられている。この加熱膨張部材６は、一定の高温、例えば２００℃以上に加熱されると、厚さ方向に数倍〜数十倍に膨張するものであり、一般に市販提供されているものを用いる。例えば、合成樹脂基材にリン化合物、熱膨張性黒鉛などを含有させてなるものが市販提供されている。
【０００９】
７は補足の為に見切り縁材１の本体の側に設けられた加熱膨張部材であり、火災時には、前記の膨張部材６と共に、この膨張部材７が膨張し、換気口２の通気路を遮断する。また、見切り縁材１の一方の側縁には、軒天井板の端を嵌入結合させる為の溝部８が設けられていて、その溝底にも耐火性の加熱膨張部材９が取付けられている。
【００１０】
図３は見切り縁材１を軒天井の軒先の方に取付けた状態で、図中、１１は軒天井板、１２は野縁、１３は鼻隠し、１４は鼻隠し下地である。平常時には、加熱膨張部材６、７は薄くて、邪魔にならないので、図示の矢印Ａのように、外気は換気口２及び間隙５を通って、屋根裏へと自由に流れ込むことができる。しかし、火災発生時には、膨張部材６、７が熱を受けて、図４のように膨張して、遮蔽板４と見切り縁材本体１との間の通気間隙を塞いでしまうので、図示の矢印Ｂのように火炎の侵入を遮断する。また、火災発生時には、加熱膨張部材９も同時に膨張して、軒天井板１１と溝部８との間に発生した隙間を埋め、熱気が天井裏に伝わらないようにする。
【００１１】
図５は、軒天井の壁側の方に取付ける見切り縁材２１の実施例である。この実施例では、遮蔽板は２段に設けられていて、平常時には、外気は矢印Ｃのように、換気口２から入った後、第１遮蔽板２２の先端を迂回し、第２遮蔽板２３との間を通り、更に端壁の孔２４を抜けて屋根裏へと流入するようになる。また、火災時には、前記の実施例と同様に、加熱膨張部材６、７が膨張して、通気路を遮断すると共に、加熱膨張部材９が膨張して、軒天井板１１と溝部８との間に発生した隙間を埋める。
【００１２】
本発明は前記の実施例に限定されるものではなく、特許請求の範囲の記載の範囲内で自由に変形実施可能である。特に、溝部８の形状や、溝部８と軒天井板１１との結合構成、更には加熱膨張部材９の種類などは自由である。
【００１３】
【発明の効果】
本発明の軒天井換気用縁材は、溝部に加熱膨張部材が付いていて、火災発生時には、この加熱膨張部材が膨張して、軒天井板と溝部との間にできた隙間を埋めるので、熱気が軒天井裏に伝わることがなく、延焼防止効果を高めることができる。更に、加熱膨張部材は、耐火性であるので、この遮断状態を確実に保持でき、信頼性が高い。その上、加熱膨張部材の付いているのが、溝部の底であるから、輸送中や取付作業中などに、他のものとの衝突による脱落がなく、また、軒天井板の端縁の嵌入作業に支障を招かず、かつ、部材取付位置にズレが生ぜず、加熱膨張部材を常に確実に加熱膨張させることができて、軒天井板と溝部との間に発生した隙間を正確に埋めて、延焼を防止できる。
【００１４】
更に、本発明では、換気口から続く通気路に、加熱膨張部材が取付けられていて、火災発生時には、火災の熱を受けて、この加熱膨張部材が膨張し、通気路を遮断するので、火炎が屋内に入ることがなく、隣家の火災からの延焼を抑制できる。また、通気路と、軒天井板が嵌入する溝部とは、完全に別個になっていて、個々の箇所を別個、独立に、加熱膨張部材で遮断するので、確実な遮断が可能である。
【図面の簡単な説明】
【図１】本発明の軒天井換気用縁材の実施例の断面図。
【図２】換気口の形状を示す表面図。
【図３】取付状態を示す断面図。
【図４】火災時の状態を示す断面図。
【図５】他の実施例の断面図。
【符号の説明】
１、２１          見切り縁材
２                換気口
４                遮蔽板
６、７、９        加熱膨張部材
８                溝部
１１              軒天井板
２２              第１遮蔽板
２３              第２遮蔽板
２４              孔
【図１】
0004764568.tif 000002
【図２】
0004764568.tif 000003
【図３】
0004764568.tif 000004
【図４】
0004764568.tif 000005
【図５】
0004764568.tif 000006